(57)【要約】      （修正有）【課題】装置の正面からＨＤＤ等のユニットの交換が容易に行え、かつ側面からＣＰＵボードの交換も容易に行える。また、机と一体的に使用でき、かつワゴンとしての移動も可能にする。【解決手段】ＣＰＵボードと、記憶ユニット、及び電源部を有するパソコンにおいて、ユニットを水平状態にして、装置の前面側に縦に重ねるようにして配置し、かつ、前面側より抜き差し可能とし、背面側で、ボード面を縦方向にして配置するボード配置機構を有する。ボードより外部に導出するためのケーブルを接続するコネクタ部は、このボードより上側で、ケーブルへ接続される側の向きを上向きにしてコネクタ部を配置する。また、ユニット配置機構及びボード配置機構は複数のパソコンに相当するボード及びユニットの組みを実装することができ、更に下部にはキャスタのような移動機構を備えたワゴン型の筐体構造とすることができる。【選択図】  図５
2004240723.tif 000002
【特許請求の範囲】
【請求項１】
情報処理を行うＣＰＵを含む部品を搭載した少なくとも１つのボードと、情報の記憶をする少なくとも１つのユニット、及び電源部を有する情報処理装置において、該ボード面を縦方向にして配置するボード配置機構と、該ボードより外部に導出するためのケーブルを接続するコネクタ部を該ボードより上側にして、その接続される側の向きを上向きに配置して実装したコネクタ機構とを特徴とする情報処理装置の実装構造。
【請求項２】
請求項１において、ボードは主にＣＰＵを搭載したＣＰＵボードとオプションボードを含み、該ボード配置機構は、ボードを装置の側面側より横方向に抜き差し可能に配置し、かつこれらのボードを夫々独立して着脱する実装機構を備えることを特徴とする情報処理装置の実装構造。
【請求項３】
情報処理を行うＣＰＵを含む部品を搭載した少なくとも１つのボードと、情報の記憶をする複数のユニット、及び電源部を有する情報処理装置において、該複数のユニットを夫々水平状態にして、装置の前面側に縦方向に重ねるようにして配置し、かつ、該ユニットは夫々トレイに搭載され、装置の前面側より抜き差しして装着するユニット配置機構と、該ユニット配置機構の背後に配置され、夫々のユニットと電気的に接続されるコネクタ接続ブロックを有することを特徴とする情報処理装置の実装構造。
【請求項４】
請求項３において、夫々のユニットのトレイがコネクタ接続ブロックの対応するコネクタに接続される際のトレイの挿入状態を示す表示機構を有することを特徴とする情報処理装置の実装構造。
【請求項５】
請求項１又は３において、該情報処理装置の筐体の下部にキャスタを備えることを特徴とする情報処理装置。
【請求項６】
情報処理を行うＣＰＵを含む部品を搭載した少なくとも１つのボードと、情報の記憶をするユニットを含む複数のユニット、及び電源部を有するパソコンにおいて、該ユニットを夫々水平状態にして、装置の前面側に重ねるようにして配置され、かつ、該ユニットは夫々トレイに搭載され、装置の前面側より抜き差しして装着するユニット配置機構と、該ユニット配置機構の背後にあって、該ボード面を縦方向にして配置するボード配置機構とを有することを特徴とするパソコンの実装構造。
【請求項７】
請求項６において、該ボードより外部に導出するためのケーブルを接続するコネクタ部を該ボードより上側にして、その接続される側の向きを上向きに配置して実装するコネクタ機構を有することを特徴とするパソコンの実装構造。
【請求項８】
請求項６又は７において、該ボード配置機構と該ユニット配置機構の間に介在し、該ユニット配置機構と該ボード配置機構の間に介在し、両者間の電気的接続を行うコネクタ接続ブロックを備えるパソコンの実装構造。
【請求項９】
請求項７乃至８のいずれかの項記載のパソコンにおいて、前記ユニット配置機構及びボード配置機構は複数のパソコンに相当するボード及びユニットの組みを実装する機構を有することを特徴とするパソコンの実装構造。
【請求項１０】
請求項７乃至９のいずれかの項記載のパソコンにおいて、その下部に移動機構を備えるワゴンの筐体構造を有していることを特徴とするパソコン。
【請求項１１】
請求項１０において、ワゴンの高さは、共同して使用される机の天板の下に収納される高さであることを特徴とするパソコン。
【発明の詳細な説明】
【０００１】
【発明の属する技術分野】
本発明は情報処理装置に係り、特にオフィスで机と一体的に使用できるパーソナルコンピュータ（以下、単にパソコンと言う。）の外形構造及び内部の実装配置に関するものである。
【０００２】
【従来の技術】
オフィスや家庭でパソコンを使用する場合、一般にパソコンの本体部を机上に設置して使用している。しかし机上はパソコンの本体部によって占有されるため、ワークスペースは大幅に小さくなると言うのが実情である。
【０００３】
この問題に対処するために、例えば特開平１１−２１６０２３号公報（特許文献１）には、机の袖箱内に、パソコンを構成するのに必要な部品及び各種装置等を直接組み込むことが出来る収納箱を予め設けることにより、机の使用性や外観を損ねることなくパソコンを机に効率よく組み込む、旨の技術が開示されている。この技術は、また、収納箱を机の袖箱の前方に引き出すことにより、収納箱上方の開口からパソコンを構成する各種装置のメンテナンスや増設作業等を容易に行うことも考慮している。
【０００４】
更にまた、特開平２００１−１０９５４０号公報（特許文献２）には、天板の下面の引出しが配置される位置に、パソコン本体を取付けるようにして、机の外観を損なわず、ＣＤやＦＤの出し入れも容易に行える机が開示されている。
【０００５】
【特許文献１】
特開平１１−２１６０２３号公報（２−４頁、図２）
【特許文献２】
特開平２００１−１０９５４０号公報（５−８頁、図２）
【０００６】
【発明が解決しようとする課題】
上記特許文献１の技術によれば、机上のスペース効率は向上するが、接続ケーブルの処置が面倒であり、種々の問題があることが分かった。即ち、モニタ、マウス、キーボードなどの収納箱から外部へ接続ケーブルを抜き差しするためには、収納箱を引き出さないと抜き差しが行えないため、外部接続ケーブルに引き出す長さ分のケーブル余長が必要になり、かつその余長の処理のための余分なスペースが必要になる。機能追加等で外部接続ケーブルを追加した場合、屈曲した余長処理部（ケーブルベア等）に配線しなければならず、作業が非常にやりずらい構造である。
【０００７】
また、パソコンを構成する構成部品や、ＨＤＤユニットのような主要なデバイスの保守や交換作業も容易ではない。即ち、ＨＤＤ、ＣＤ−ＲＯＭ等を交換する時、デバイスを固定するブラケットも工具を使ってはずさなければならず、交換作業が容易でない。また、机の開口部から外部接続ケーブルを外すとしても、ＣＰＵボードやサウンドボードは、机の背面の向きに実装されているため、コネクタを目視で確認できず、抜き差しの作業もやりずらい。
【０００８】
更に、パソコン本体収納箱及び引き出し部は机に固定されており、単独では移動できない構造である。このため、ユーザが自由にパソコン本体部を据える場所を選べず、設置場所や使用目的にあわせたレイアウト変更に対応できないと言う問題がある。
【０００９】
また、特許文献２の技術によれば、保守や部品交換の際の作業性に問題がある。例えば、パソコン本体を収納するケースとマウス、キーボード、モニタ等とを接続するケーブルの抜き差しを机の背面から行わなければならず、作業がしずらい。また、ＦＤＤ、ＣＤ−ＲＯＭ等を交換する時、工具を使ってこれらを外さなければならず、交換作業が容易でない。
またパソコンの機能拡張に関しても配慮に欠ける点がある。例えば、拡張ボード、マザーボード等を後付けするため、中継基板で水平実装としているが、拡張ボードが１枚しか実装できないため、機能追加や拡張性に乏しい。また、マザーボードを交換する時、拡張ボード等マザーボード以外をはずさなければならず、交換が容易ではない。
【００１０】
本発明の目的は、装置の正面からＨＤＤ等のユニットの交換が容易に行え、かつ側面からＣＰＵボード等のボードの交換が容易に行えるパソコンを提供することにある。
本発明の目的は、机のワークスペースを確保でき、机と一体的に使用できるワゴン式のパソコンを提供することにある。
本発明の他の目的は、パソコン本体部を収納し、移動可能としたワゴン式の構造を備えたパソコンを提供することにある。
【００１１】
【課題を解決するための手段】
本発明は、情報処理を行うＣＰＵを含む部品を搭載した少なくとも１つのボードと、ＨＤＤデバイスのような情報の記憶をする少なくとも１つのユニット、及び電源部を有する、好ましくはパソコンのような情報処理装置において、ボード面を縦方向にして配置するボード配置機構を備える。
ボードは主にＣＰＵを搭載したＣＰＵボードとオプションボードを含み、このボード配置機構は、ボードを装置の側面側より横方向に抜き差し可能な配置であって、これらのボードを夫々独立して交換可能にする実装機構を備える。
上記ユニットを配置するためのユニット配置機構を備え、ユニットは夫々水平状態で、装置の前面側に重ねるようにして配置される。これらのユニットは、好ましくは夫々トレイに搭載され、装置の前面側より抜き差ししてユニット配置機構に装着される。
【００１２】
好ましい例では、ボード配置機構とユニット配置機構の間にはコネクタ接続ブロックが介在し、両者間の電気的接続を行う。
夫々のユニットのトレイがコネクタ接続ブロックの対応するコネクタに接続される際のトレイの挿入状態を示す表示機構を有する。
また、ボードより外部に導出するためのケーブルを接続するコネクタ部をボードより上側の位置で、その接続される側の向きを上向きに配置して実装したコネクタ機構を有する。これによってパソコンの上面から簡単にケーブルの抜き差しが行える。
好ましい例におけるパソコンの実装構造では、上記ユニット配置機構及びボード配置機構は複数のパソコンに相当するボード及びユニットの組みを実装する機構を備える。また、パソコンの筐体はその下部に移動機構を備えるワゴン型の筐体構造を成している。ワゴンの高さは、共同して使用される机の天板の下に収納される高さであることが好ましい。
【００１３】
【発明の実施の形態】
以下、図を参照して、本発明の実施形態について説明する。
図１は本発明の一実施例による机と共同して使用されるワゴン収納式のパソコンの一例を示す。
【００１４】
ワゴン７は机と共同して一体的に使用されるキャビネットであり、その中にはパソコン本体を構成する主要部品が実装して収容されている。その筐体の下部にはキャスタ１３が設けられる。図示の例において、ワゴン７にはパソコン２台相当分の部品やユニット群が収容されている。尚、パソコン本体を構成する主要部品を収容するワゴン７の実装構造の詳細は図５以降を参照して後述する。
【００１５】
図１の例ではワゴン７は机の中央に配置されており、図２の例では机の右側に配置されている。机は天板１と脚１６を備え、机の天板１の上には、キーボード４、モニタ５、マウス６が置かれ、ユーザの使用に供される。
机の天板１には、モニタ５用のケーブルを案内する開口穴２０が開けられ、その穴はカバー２１の着脱により開閉される。天板１の開口穴２０を通してワゴン７の上面部に設けられたコネクタパネル接続部２にケーブルが接続される。このように天板１の上側からケーブルの抜き差しが容易に行える。
【００１６】
キーボード４及びマウス６は赤外線通信機能を備えており、天板１の前方にはキーボード４やマウス６と通信を行う送受光部３が配置される。
図２に示す例では、机上の左側に２組のモニタ５やキーボード４等が配置され、ワゴン７を右側に配置している。そのため、天板１の右側のカバー２１を通してケーブル１４がワゴン７内のコネクタパネル部２と接続される。
【００１７】
この様に、パソコンの主要な部品をワゴン型のキャビネット筐体に収納して、キャスタ１３等の移動機構を設けることにより、レイアウト変更等のユーザの使用環境に合せて自由に移動させることができる。ワゴンとしてパソコン本体を移動できるので、机の利用形態に合せてワークスペースを有効に利用できる。
また、パソコン２台相当分の部品を収納しているので、従来のようにパソコン毎に本体を設置する場合に比べ、スペース効率が良くなる。勿論、実装する部品のボリュームはパソコン２台分に限らず、３台以上複数台分の部品を実装しても良い。
【００１８】
次に図３及び図４を参照して、パソコン本体を収納するワゴン筐体の外観構成について説明する。図３はワゴン７の側面カバー４０を開放させた様子を示す図であり、図４は正面カバー４８を開放させた様子を示す図である。
【００１９】
ワゴン７の前面カバー４８には、電源スイッチ部８、電源ランプ部９、ＨＤＤ動作確認ランプ部１０、ＣＤ−ＲＯＭ、ＦＤ等のデバイスユニット収納部１１が設けられている。
例えばパソコンの保守時には、筐体を開放して内部をチェックする必要があるが、このような場合、ワゴン７を机から引出して、側面カバー４０又は正面カバー４８を開放する。この実施例においては、またケーブル１４との接続用のコネクタ部２は筐体の上面に向けて配置しているので、コネクタパネル部カバー４２を開けて、ケーブルの着脱を行う。
【００２０】
図３のように、側面カバー４０は４角に設けられたつまみネジ４１を緩めることにより、取り外すことができる。側面カバー４０を開放すると、内部のスロットに縦方向に実装されているＣＰＵボード４９等のボードは、横方向（矢印）に引き抜き可能な構造に配置されている。これにより、ＣＰＵボードの保守や交換等が可能である。
【００２１】
また、正面カバー４８は、左右にスライドさせ取り外すことができる。正面カバー４８のスライド機構それ自体は常套的なものでよく、例えば正面カバー４８の上部と下部に案内用の凹凸のレール部を設け、それに対向する筐体側の上下部にはそれを受けるレール部を設けるなどのスライド機構であって良い。正面カバー４８を開放した場合、ワゴンの筐体内には、１台目パソコンのＣＤ−ＲＯＭ、ＦＤドライブ４４、２台目パソコンのＤＶＤ−ＲＯＭ、ＦＤドライブ４５、１台目パソコンのＨＤＤ４６、２台目パソコンのＨＤＤ４７、電源スイッチ部８が実装されている。これらのデバイスユニット５０は矢印方向に取り出して、保守或いは交換できる。
尚、この実施例では、側面カバー４０及び正面カバー４８は、夫々右側及び正面ではなく、左側及び背面にあってもよい。
【００２２】
本実施例によれば、パソコンの保守時、ワゴンを机から引き出すことができるため、机の下に潜ったりしなくてもよく、広い場所に移動して保守ができ、作業性が良い。また、モニタ等に接続しているケーブルを机の天板に設けた開口部から容易に外せる。また、ワゴンの筐体内の構成では、比較的交換頻度の高いデバイスユニットを正面から操作できるように実装している。また側面カバーを工具無しで取り外すことができるので、作業性が良い。ＣＰＵボードやオプションスロット部ボード等のボードの交換が容易にできるなどの効果がある。
【００２３】
次に図５を参照して、ワゴン７内のパソコン本体の内部構成、及び部品の実装配置の例について説明する。図５の左側がパソコン装置の正面である。
この実施例では、ワゴン型パソコンにおける主要部品及びデバイスユニットの実装配置の特徴について説明するものである。
【００２４】
ワゴン７内にはパソコン２台相当分の構成部品が実装される。装置の正面側には、上から複数のデバイスユニットが夫々配置、実装される。上から１台目用ＣＤ−ＲＯＭドライブ４４１、２台目用ＤＶＤ−ＲＯＭドライブ４５１、１台目用ＦＤＤ部４４２、２台目用ＦＤＤ部４５２、１台目用ＨＤＤ部４６１及び４６２、２台目用ＨＤＤ４７１及び４７２が配置される。これらのユニットは専用のトレイに搭載され、容易に交換可能となっている。
【００２５】
電源スイッチ部８、コネクタパネル部２、スロット基板固定部３２４、スロット基板固定用バックボード基板３０８、及び筐体の下部に配置されたＵＰＳ・バッテリ部３１５、電源部３１６は、２台分のパソコンで共通に使用される。コネクタパネル部２は上を向いており、カバー４２を外すと、上側からケーブル１４を接続可能である。
【００２６】
１台目のＣＰＵボード４９１、及び２台目ＣＰＵボード４９２は夫々ＣＰＵやメモリが搭載されており、これらのボード４９１，４９２（纏めて４９と示す）はシャーシ３１１に案内されて、スロット基板固定用バックボード３０８に差し込む構造となっている。ＣＰＵボード４９はそれらのシャーシがつまみネジ３１９により筐体フレームに固定される。バックボード３０８は、図５の奥側（パソコンの正面から見ると左側側面）にあってＣＰＵボードと直交している。ＣＰＵボード４９やオプションボードに対応する位置に夫々コネクタを備える。ＣＰＵボード４９の交換時は、ネジ３１９を取り外し、ボード４９を手前に（パソコン装置の正面から見ると図３の右側に）引き抜くだけで取り外すことができる。実装搭載はその逆の手順で行う。
【００２７】
１台目パソコンのオプションスロット３２１、及び２台目パソコンのオプションスロット３２２もＣＰＵボード４９と同様に、ネジ３１９を操作して交換できる。
中央境界部に配置されたコネクタ接続ブロック３００は、ＦＤ、ＨＤＤ、ＣＤ−ＲＯＭ等のデバイスユニットと、ＣＰＵボード４９１，４９２とのケーブル３１２とを結合する部分である。ＨＤＤ等のトレイを差し込んだ時に、それらのトレイとコネクタとが結合される様にコネクタを配置し、支持している。
【００２８】
ＣＰＵボード等の冷却について説明するに、筐体の背部である筐体スリット３２３から空気を吸い込み、ファン３１７の回転により筐体下部のスリット３１８を通して空気を吐き出す。電源部３１６は、電源部スリット３２０より空気を吸い込み、ファン３２５の回転により、筐体スリット３１８を通して空気を吐き出す。破線（矢印ｘ）の様な空気の流れにより、ＣＰＵ等の部品を効果的に冷却する。
【００２９】
本実施例によれば、ＣＰＵボードも他のオプションスロットのボードと同様に、筐体の側面から夫々単独で抜き差しできる。また、格別な工具無しで、誰でもが交換作業を簡単、容易に行える。従来のパソコンでは、例えば、サウンドボード等のオプションスロットは差し込み式となっており、ＣＰＵボード等を交換する時には、オプションスロットをＣＰＵボードに差す構造のため、全てのボードを抜く必要があったが、本実施例によれば、ＣＰＵボードを単体で交換する場合に、他のオプションスロットを外すことなく交換できる。
【００３０】
また本実施例によれば、ＣＰＵボード４９やオプションスロットのボードを縦向きに配置し、かつ接続コネクタ部２を上向きに配置して実装しているので、従来のパソコンで問題となるモニター等の外部接続ケーブル用コネクタが背面に配置され、抜き差しの作業性の悪さが改善できる。即ち、机の上部開口部２０からパソコンのコネクタパネル接続部２が見えるので（尚、図はワゴン７のカバー４２を外した状態を示す）、接続する相手のコネクタの視認性もよくなり、上部より外部接続ケーブルを容易に接続できる。また、パソコン本体を収納する筐体７と、マウス、キーボード、モニタ等とを接続するケーブルの抜き差しを上面から容易にできる。また、マザーボード単体を交換する場合、マザーボード以外を外さずに、拡張ボード等の交換ができる。
【００３１】
尚、ＨＤＤや、ＣＤ−ＲＯＭ等のデバイスユニットは、１台目、２台目専用という使い方以外に、デバイスの共有化、及びネットワークでの接続を行うことで１台目、２台目共通に使用しても良い。
【００３２】
次に図６を参照して、ＨＤＤトレイの構造例の特徴について説明する。図６で（Ａ）は上面図、（Ｂ）は右側面図、（Ｃ）は正面図である。
【００３３】
本実施例においては、種々のデバイスユニット４４〜４７をパソコン装置の前面に配しており、正面カバー４８を開放して、これらのユニットを前面から引き出したり、挿入したりして、保守、交換できる構成としている。
【００３４】
保守、交換頻度の比較的高いＨＤＤユニット例えばＨＤＤ４６１の構造を例に揚げて説明するに、ユニットのトレイ１００は３．５インチの標準規格のＨＤＤ１０５が搭載できる様なトレイ構造となっている。
【００３５】
ＨＤＤ用トレイ１００において、ＨＤＤ固定ブラケット１０８がＨＤＤ１０５を包囲するように中央にＨＤＤ１０５を配置し、４個の金属製のつまみネジ１０２により固定される。ＨＤＤ１０５の保守や交換は、つまみネジ１０２を緩めてＨＤＤ１０５を取り外して行う。つまみネジ１０２の位置は、３．５インチ又は２．５インチ標準のＨＤＤの取り付け穴位置になっている。ＨＤＤ１０５の電気的接続は、背後に設けたＨＤＤ電源コネクタ１０３及びＨＤＤインターフェースコネクタ１０６を介して行う。トレイ１００の正面にある２個の金属製つまみネジ１０７は、トレイを押し込んだ後、トレイを固定するために使用する。ＨＤＤ１０５の電源コネクタの抜き差しは、接合状態が堅いために、強固な取っ手１０１を設けることで、トレイの引き抜き及び差込み易くしている。トレイを差し込んだときに、ＨＤＤ電源コネクタ１０３、ＨＤＤインターフェースコネクタ１０６が筺体側のコネクタと接続しやすい様にガイドピン１０４が設けられている。
【００３６】
上記の例はＨＤＤユニットを例にして説明したが、他のユニットの構造にこれを適用することは容易であろう。このように、ＦＤＤ、ＨＤＤ，ＣＤ−ＲＯＭ等のデバイスユニットを交換する時に、工具を使わず、交換作業が容易に行える。
【００３７】
次に図７を参照して、ＨＤＤ交換用トレイ１００をワゴンの筐体に組み込む場合の例について説明する。（Ａ）は上面図、（Ｂ）は右右面図、（Ｃ）は装着時の状態図である。
【００３８】
トレイ１００を受ける筐体側には、筐体部ベース１２１及びその奥にコネクタ接続部１２０が配置されている。ベース１２１の先端部にはトレイを固定するための固定機構部２３が設けられ、トレイ１００側のネジ１０７と係合して固定する。またトレイを正しく位置合せさせるために、トレイ１００のガイドピン１０４と係合する位置にガイドピン受け部１２２が設けられる。
【００３９】
しかしてＨＤＤ交換用トレイ１００を筺体部ベース１２１に差し込むと、トレイのガイドピン１０４が、ガイドピン受け部１２２に係合し、挿入されたＨＤＤのコネクタがコネクタ接合部１２０に接続される。この状態でトレイ正面にある２個のつまみネジ１０７を、固定機構部２３に押し込んでネジ止めする。
【００４０】
このようにして、パソコン装置の正面からトレイの抜き差しによって、かつガイドピンの案内によって、ＨＤＤ等のデバイスユニットと筐体側の接合が容易かつ確実に行える。
尚、上記実施例では部品点数を少なくし、少しでも安く実現するためにＨＤＤ、ＣＤ−ＲＯＭドライブ等に搭載されているＩ／Ｆコネクタ、電源コネクタをそのままトレイの接続部に使用しているが、電源部のコネクタの抜き差しが硬いため、トレイ上で抜き差しし易いコネクタに変える構造にしてもよい。
【００４１】
図７に示すトレイの挿入機構において、ネジ１０７の固定機構部２３の係合関係は、更に、トレイの挿入状態の不十分さを表示する特徴的な機構と関係するように配慮されている。即ち、トレイを挿入して行っても、接続コネクタは最奥にあるので、その接合状態を目視で確認できない。場合によっては、ＨＤＤ側と筐体側のコネクタどうしの接合が不十分な場合もあり、このような不十分な状態を機構的に表示して確認しようとするものである。
【００４２】
以下、図８に示すトレイ１００の固定機構部２３の詳細を参照して、その機構について説明する。
（Ａ）はトレイの挿入前の状態を示し、（Ｂ）は完全に挿入した状態を示し、（Ｃ）は挿入不十分な状態を示す。また上側は上面図、下側は正面図である。
【００４３】
筐体側の固定機構部２３において、筐体板２３５と２３６の間にはブラケット２３１が固定されている。特にネジ２３２によって筐体板２３５とブラケット２３１の間には板バネ２３３が固定される。板バネ２３３は山型を成した特徴的な形状であり、この山部をトレイ１００固定用のネジ１０７の先端が矢印ｙ方向に押して、その山の高さを変える様にしている。板バネ２３３の先端部には色付けされたマーク２３４が施されている。板バネ２３３の先端がｚ方向に移動されると、それに伴いマーク２３４も移動する。また、筐体板１０９と２３６には共通の穴２５が設けられており、この穴５を通してマーク２３４の状態が見える。この機構はトレイの挿入状態の確認機構として機能する。
【００４４】
トレイ１００が図７（Ｃ）の状態のように位置つけされ、トレイ１００のカバー板１０９に係合しているつまみネジ１０７を締め付けて筐体カバー板１０９と筐体板２３６とを固定する。
トレイの挿入状態の確認機構は、つまみネジ１０７の挿入の度合いによって、機構２３内部の板バネ２３３が押されるので、板バネ上のマーク２３４はネジ１０７の挿入状態に応じて動く。このマーク２３４の状態を筺体正面部のトレイの左右に設けた穴２５から確認することによって、ネジ１０７の挿入状態を把握できる。２５´はマークの状態を示している。
例えば（Ａ）に示す状態は、マーク２３４が見えないので、挿入不十分。（Ｃ）の状態はマーク２３４が半分見えるので、半挿入の状態。この状態では未だネジ１０７を挿入する必要がある。（Ｂ）の状態はマーク２３４が完全に見えるので、完全挿入状態として確認できる。この機構によってトレイの挿入不十分は状態を確認できる。
【００４５】
図９はＣＤ−ＲＯＭ交換用トレイの構造例を示す図であり、（Ａ）は上面図、（Ｂ）は右側面図、（Ｃ）、（Ｄ）は正面図である。
【００４６】
ＣＤ−ＲＯＭ交換用トレイ４４１は、ＣＤ−ＲＯＭ固定ブラケット２０６を反してＣＤ−ＲＯＭ２０１を４個の金属製のつまみネジ２０２により固定される。ネジ２０２の位置は、５インチベイ標準のＣＤ−ＲＯＭドライブ等の取り付け穴位置になっている。ＣＤ−ＲＯＭを交換する時は、４個のネジ２０２を緩めてＣＤ−ＲＯＭドライブを交換する。ＣＤ−ＲＯＭの接続は、ＣＤ−ＲＯＭ電源コネクタ部２０３、ＣＤ−ＲＯＭインターフェースコネクタ部２０５により接続される。トレイを押し込んだ後、トレイ正面の２個の金属製つまみネジ２００を締め付けてトレイを固定する。ＣＤ−ＲＯＭの電源コネクタの抜き差しは堅いため、トレイ前面の取手取り付け部２０９に引っ掛け構造の取っ手２０８を設けることで、引き抜き及び差込み易くする。トレイを差し込んだときに、ＣＤ―ＲＯＭ電源コネクタ２０３、ＣＤ−ＲＯＭインターフェースコネクタ２０５が筺体側コネクタと接続しやすい様にガイドピン２０４が設けられている。
【００４７】
尚、本発明は上記した実施例に限定されず種々変形して実施し得る。例えば、上記実施例では、２台分のパソコンを構成する部品をワゴン型の筐体に収容した例であるが、３台以上のパソコンの部品を収容しても良い。この場合、ＣＰＵボードやオプションスロットを実装するバックボードと、モニター等を接続するコネクタパネル、電源等を専用に設計し、ＨＤＤ用トレイ等を必要な台数分増やす構成となる。勿論、１台のパソコン分だけの実装でもよい。
また、上記実施例では、パソコン収納部のカバーを右側面で説明したが、カバーは左右や、背面に配置してもよい。
【００４８】
【発明の効果】
本発明によれば、装置の正面からＨＤＤ等の記憶ユニットの交換が容易に行え、また部品を搭載したボードの交換も装置の側面から容易に行える。
また、机のキャビネット型ワゴンにパソコン本体を収容して構成しているため、机と共同して使用でき、かつ移動機構によりワゴンの移動もでき、パソコンの使用環境に合せて容易に対処できる。
【図面の簡単な説明】
【図１】本発明の一実施例による机と共同して使用されるワゴン収納式のパソコンの構成例を示す外観斜視図。
【図２】図１に示す構成例において、ワゴンの配置を変えた例を示す外観斜視図。
【図３】図１に示す構成例において、ワゴンの側面カバーを開放させた様子を示す図。
【図４】図１に示すワゴン型のパソコンの正面カバーを外した様子を示す図。
【図５】ワゴン型パソコン本体の内部構成と部品の実装配置例を示す側面図。
【図６】図１に示すワゴン型パソコンのＨＤＤ交換用トレイの構造例を示す図であり、（Ａ）は上面図、（Ｂ）は右側面図、（Ｃ）は正面図である。
【図７】ＨＤＤ交換用トレイをワゴンの筐体に組み込む構造例を示す図であり、（Ａ）は上面図、（Ｂ）は右右面図、（Ｃ）は装着時の状態図である。
【図８】ＨＤＤ交換用トレイの固定機構部の詳細を示す図であり、（Ａ）はトレイの挿入前の状態、（Ｂ）は完全に挿入した状態、（Ｃ）は挿入不十分な状態を示す。
【図９】ＣＤ−ＲＯＭ交換用トレイの構造例を示す図であり、（Ａ）は上面図、（Ｂ）は右側面図、（Ｃ）は正面図である。
【符号の説明】
１  天板          ２  コネクタパネル接続部  ２１  カバー
３  送受光部      ４  キーボード            ５  モニタ
６  マウス        ７  ワゴン                ８  電源スイッチ部
９  電源ランプ部  １０  ＨＤＤ動作確認ランプ部
１１  デバイスユニット収納部
１３  キャスタ    １４  ケーブル            ４０  側面カバー
４８  正面カバー  ４９  ＣＰＵボード
１００  トレイ    ２３  固定機構部          ２５  確認穴
１０５  ＨＤＤ    ４３  電源スイッチ部
４４  １台目パソコンのＣＤ−ＲＯＭ、ＦＤドライブ
４５  ２台目パソコンのＤＶＤ−ＲＯＭ、ＦＤドライブ
４６  １台目パソコンのＨＤＤ                ４７  ２台目パソコンのＨＤＤ
【図１】
2004240723.tif 000003
【図２】
2004240723.tif 000004
【図３】
2004240723.tif 000005
【図４】
2004240723.tif 000006
【図５】
2004240723.tif 000007
【図６】
2004240723.tif 000008
【図７】
2004240723.tif 000009
【図８】
2004240723.tif 000010
【図９】
2004240723.tif 000011